(57)【要約】【課題】ベルトに対して簡単に着脱が行え、通気性が確保されて蒸れにくく、水も排出しやすくできるベルト用肩パッドを提供する。【解決手段】ベルト用肩パッド１１において、可撓性素材よりなり肩に掛けるベルト（肩ベルト１５）に沿って長い矩形状の基板部３１とこの基板部３１の長手方向に沿う両側の側板部３３とにより長手方向に直交方向の断面が略コ字形状に形成される本体部２５と、基板部３１に縦横に配列され膨出先端が肩に当接する当接面４１となり且つこの当接面４１の裏側が凹部４３となる複数の凸部２７と、本体部２５の少なくとも延在方向の両側に設けられ両側の側板部３３のそれぞれから基板部３１と平行に延出して延出先端同士が対向し基板部３１との間にベルトを挿通する空間４５を形成するベルト押さえ片２９と、を設けた。【選択図】  図５
2019187502.tif 000002
【特許請求の範囲】
【請求項１】
可撓性素材よりなり肩に掛けるベルトに沿って長い矩形状の基板部とこの基板部の長手方向に沿う両側の側板部とにより長手方向に直交方向の断面が略コ字形状に形成される本体部と、
前記基板部に縦横に配列され膨出先端が前記肩に当接する当接面となり、且つこの当接面の裏側が凹部となる複数の凸部と、
前記本体部の少なくとも延在方向の両側に設けられ、前記両側の側板部のそれぞれから前記基板部と平行に延出して延出先端同士が対向し前記基板部との間に前記ベルトを挿通する空間を形成するベルト押さえ片と、
を具備することを特徴とするベルト用肩パッド。
【請求項２】
請求項１記載のベルト用肩パッドであって、
前記ベルト押さえ片が、それぞれの前記両側の側板部から同じ長さで延出して間隙を有して対向することを特徴とするベルト用肩パッド。
【請求項３】
請求項１または２記載のベルト用肩パッドであって、
前記ベルト押さえ片には、前記基板部と反対側の面に膨出するリブが前記ベルト押さえ片の延在方向に沿って形成されていることを特徴とするベルト用肩パッド。
【請求項４】
請求項１〜３のいずれか１つに記載のベルト用肩パッドであって、
前記凸部の前記当接面には、前記凹部へ通じる貫通孔が形成されていることを特徴とするベルト用肩パッド。
【請求項５】
請求項１〜４のいずれか１つに記載のベルト用肩パッドであって、
前記基板部の前記ベルト押さえ片に対向する部分には、前記凸部の形成されていない開口部が設けられていることを特徴とするベルト用肩パッド。
【発明の詳細な説明】
【技術分野】
【０００１】
本発明は、フルハーネス型安全等に用いられるベルト用肩パッドに関する。
【背景技術】
【０００２】
高所で作業を行う場合、作業者には転落防止のための安全帯の着用が義務づけられている。この種の安全帯としては、例えば衝撃荷重を緩衝して身体の損傷を防止するフルハーネス型安全帯が知られている（特許文献１等参照）。フルハーネス型安全帯は、作業者の背中に配置されるベルト分岐部材から上方に二股に分かれて延びて使用者の両肩を通り、使用者の前面側を両肩から下方に延びる一対の肩ベルトと、一対の肩ベルトの下端に取り付けられる一対の腿ベルトとを備える。肩ベルトは、直に肩に当てるのは痛い。そこで、一対の肩ベルトには、使用者の肩に当接する部分に緩衝材としての肩パッドが取り付けられる場合がある。
【０００３】
従来品の肩パッドとしては、特許文献２の肩掛けベルト用パッドのように、筒状に形成され、ベルトを貫通させるもの、特許文献３のシートベルトカバーや特許文献４のシートベルト用クッションのように、ベルトをくるむように覆い、面ファスナーやフックボタンで取り付けるもの、特許文献５のショルダーベルトのように、係止舌片である係止部を、Ｔ字状に穿設した通孔である被係止部に嵌入係止することで、ベルトの通口を形成するものなどがある。
【先行技術文献】
【特許文献】
【０００４】
【特許文献１】実用新案登録第３２０１４８６号
【特許文献２】特開２００１−１１２５３４号公報
【特許文献３】実開昭６２−６２５６４号公報
【特許文献４】実開昭６２−１７１３５６号公報
【特許文献５】実開昭６２−１６６７２８号公報
【発明の概要】
【発明が解決しようとする課題】
【０００５】
しかしながら、特許文献２の肩掛けベルト用パッドは、ベルトの端部から通す構造であるため、バックル等の金具や他の部材がベルトに固定されていては、後から取り付けることが難しく、着脱自在にはなりにくい。特許文献３のシートベルトカバー、特許文献４のシートベルト用クッション、及び特許文献５のショルダーベルトは、着脱が可能である構造ではあるもののその構造として部品の取り付けや縫製などが煩雑で製作に手間がかかる。また、従来品の共通した課題として、肩との接触面積が大きく蒸れやすく、特に雨などで濡れた場合には排出されにくい課題があった。
【０００６】
本発明は上記状況に鑑みてなされたもので、その目的は、ベルトに対して簡単に着脱が行え、通気性が確保されて蒸れにくく、水も排出しやすくできるベルト用肩パッドを提供することにある。
【課題を解決するための手段】
【０００７】
次に、上記の課題を解決するための手段を、実施の形態に対応する図面を参照して説明する。
本発明の請求項１記載のベルト用肩パッド１１は、可撓性素材よりなり肩３５に掛けるベルト１５に沿って長い矩形状の基板部３１とこの基板部３１の長手方向に沿う両側の側板部３３とにより長手方向に直交方向の断面が略コ字形状に形成される本体部２５と、
前記基板部３１に縦横に配列され膨出先端が前記肩３５に当接する当接面４１となり、且つこの当接面４１の裏側が凹部４３となる複数の凸部２７と、
前記本体部２５の少なくとも延在方向の両側に設けられ、前記両側の側板部３３のそれぞれから前記基板部３１と平行に延出して延出先端同士が対向し前記基板部３１との間に前記ベルト１５を挿通する空間４５を形成するベルト押さえ片２９と、
を具備することを特徴とする。
【０００８】
このベルト用肩パッド１１では、装着の際、可撓性素材からなるベルト押さえ片２９を開くように変形させ、基板部３１にベルト（肩ベルト）１５を配置するのみで、ベルト押さえ片２９が弾性復元力により元の形状に戻る。そのため、ベルト１５の取り付けたい個所にベルト１５の面から容易に取り付けることができる。従って、筒状のものに挿通したり、面ファスナーやフックボタンで取り付けたりする煩雑さが解消される。
ベルト用肩パッド１１は、基板部３１が面で密着せず、角錐台形状に形成した多数の凸部２７によって肩３５に接触するので、膨出先端同士が離間し、良好な通気性を確保できる。つまり、縦横に並んだ各突起部分が肩３５に当たることになる。これにより、良好な排水性も確保される。また、多数の凸部２７で構成され裏側が凹部４３となる膨出形状とされることで、クッション性も備えている。
【０００９】
本発明の請求項２記載のベルト用肩パッド１１は、請求項１記載のベルト用肩パッド１１であって、
前記ベルト押さえ片２９が、それぞれの前記両側の側板部３３から同じ長さで延出して間隙４７を有して対向することを特徴とする。
【００１０】
このベルト用肩パッド１１では、ベルト押さえ片２９が、両側の側板部３３から同じ長さで延出し、間隙４７を有して分断される。従って、ベルト押さえ片２９は、基端が側板部３３に固定され、延出先端が自由端となった片持ち梁状となる。これにより、ベルト押さえ片２９は、延出先端が本体部２５から離反方向へ容易に変形可能となり、且つ弾性復元力によるベルト１５の押下が可能となり、片寄らずにベルト１５に取り付けられる。
【００１１】
本発明の請求項３記載のベルト用肩パッド１１は、請求項１または２記載のベルト用肩パッド１１であって、
前記ベルト押さえ片２９には、前記基板部３１と反対側の面に膨出するリブ４９が前記ベルト押さえ片２９の延在方向に沿って形成されていることを特徴とする。
【００１２】
このベルト用肩パッド１１では、ベルト押さえ片２９に、延在方向でリブ４９が形成されることにより、ベルト押さえ片２９の断面形状が増える。これにより、ベルト押さえ片２９は、延出先端を自由端とした場合の撓み荷重を大きくできる。また、形状復元性も良好にできる。
【００１３】
本発明の請求項４記載のベルト用肩パッド１１は、請求項１〜３のいずれか１つに記載のベルト用肩パッド１１であって、
前記凸部２７の前記当接面４１には、前記凹部４３へ通じる貫通孔５１が形成されていることを特徴とする。
【００１４】
このベルト用肩パッド１１では、凸部２７の当接面４１に貫通孔５１があることで、さらに通気性が高まり、蒸れなどを防ぐことができる。そして、凹部４３の底に穿設された貫通孔５１により、凹部４３に進入した水の良好な通水性が確保される。
【００１５】
本発明の請求項５記載のベルト用肩パッド１１は、請求項１〜４のいずれか１つに記載のベルト用肩パッド１１であって、
前記基板部３１の前記ベルト押さえ片２９に対向する部分には、前記凸部２７の形成されていない開口部５５が設けられていることを特徴とする。
【００１６】
このベルト用肩パッド１１では、基板部３１上に、側板部３３から延出したベルト押さえ片２９が、片持ち梁状となって配置される。ベルト押さえ片２９は、基板部３１と反対側の面が、上面となって外側に表出する。一方、ベルト押さえ片２９の基板部側の下面は、本来、基板部３１により隠れる。ベルト用肩パッド１１では、このベルト押さえ片２９に対向する基板部３１の部分に、ベルト押さえ片２９を表出させる開口部５５が形成される。これにより、本来隠れるベルト押さえ片２９の下面が、開口部５５を介して本体部２５の下面側に表出した状態となる。
【発明の効果】
【００１７】
本発明に係る請求項１記載のベルト用肩パッドによれば、簡単に着脱が行え、通気性が確保されて蒸れにくく、水も排出しやすくできる。
【００１８】
本発明に係る請求項２記載のベルト用肩パッドによれば、ベルト押さえ片を開きやすくでき、ベルトの着脱がさらに容易となる。
【００１９】
本発明に係る請求項３記載のベルト用肩パッドによれば、リブによりベルト押さえ片の剛性を高め、ベルトの保持性を高めることができる。
【００２０】
本発明に係る請求項４記載のベルト用肩パッドによれば、凹部に入った水を抜くことができ、排水性をさらに高めることができる。
【００２１】
本発明に係る請求項５記載のベルト用肩パッドによれば、開口部への成形型の進入が可能となり、ベルト押さえ片の成形性を良好にできる。
【図面の簡単な説明】
【００２２】
【図１】本発明の実施形態に係るベルト用肩パッドの取り付けられたフルハーネス型安全帯が身体に装着された状態を表す正面図である。
【図２】図１に示したベルト用肩パッドを斜め上方より見た斜視図である。
【図３】図２に示したベルト用肩パッドの上面図である。
【図４】図２に示したベルト用肩パッドの下面図である。
【図５】図２に示したベルト用肩パッドのベルト取付時における要部拡大図である。
【図６】ベルトに取り付けられたベルト用肩パッドの長手方向に直交する方向の断面図である。
【図７】ベルトに取り付けられたベルト用肩パッドの長手方向に沿い基板部に垂直な方向の縦断面図である。
【図８】図２に示したベルト用肩パッドの使用状態を表す側面図である。
【発明を実施するための形態】
【００２３】
以下、本発明に係る実施形態を図面を参照して説明する。
図１は本発明の実施形態に係るベルト用肩パッド１１の取り付けられたフルハーネス型安全帯１３が身体に装着された状態を表す正面図である。
本実施形態に係るベルト用肩パッド１１は、例えばフルハーネス型安全帯１３に用いることができる。フルハーネス型安全帯１３は、肩ベルト１５と、腿ベルト１７とを備える。肩ベルト１５は、使用者の背中に配置されるベルト分岐部材から上方に二股に分かれて延びて使用者の両肩を通り、使用者の前面側を両肩から下方に延びる。腿ベルト１７は、一対の肩ベルト１５の下端に取り付けられる。使用者の前面側を両肩から下方に延びる一対の肩ベルト１５には、使用者の胸部分で連結される胸ベルト１９を設けることができる。また、肩ベルト１５には、胴ベルトホルダ２１を介して胴ベルト２３を連結することができる。
【００２４】
本実施形態に係るベルト用肩パッド１１は、フルハーネス型安全帯１３における一対の肩ベルト１５のそれぞれに取り付けることができる。
【００２５】
図２は図１に示したベルト用肩パッド１１を斜め上方より見た斜視図である。
本実施形態に係るベルト用肩パッド１１は、本体部２５と、凸部２７と、ベルト押さえ片２９とを有する。
【００２６】
本体部２５は、可撓性素材よりなる。可撓性素材は、成形性が良好で、滑りにくく、クッション性を有する素材であることが好ましい。可撓性素材としては、例えばシリコンゴム、樹脂、ゴムなどを挙げることができる。
【００２７】
本体部２５は、基板部３１と、側板部３３とからなる。基板部３１は、肩３５に掛けるベルトである肩ベルト１５に沿って長い矩形状で形成される。側板部３３は、基板部３１の長手方向に沿う両側の側縁から肩３５と反対側に起立して基板部３１と一体に成形される。本体部２５は、これら基板部３１と側板部３３とにより長手方向に直交方向の断面が略コ字形状となる。
【００２８】
図３は図２に示したベルト用肩パッド１１の上面図である。
基板部３１には、縦横に配列される複数の凸部２７が形成される。本実施形態において、凸部２７は、基板部３１の長手方向中央の中央領域３７と、中央領域３７を挟む長手方向両側の一対の端部領域３９に設けられる。凸部２７は、肩ベルト１５の長手方向を縦、肩ベルト１５の幅方向を横とした場合、中央領域３７においては縦横５×４の２０個、それぞれの端部領域３９においては２×４の８個ずつの合計３６個が形成されている。なお、凸部２７の数はこれに限定されない。
【００２９】
図４は図２に示したベルト用肩パッド１１の下面図である。
凸部２７は、膨出先端が肩３５に当接する当接面４１となる。また、凸部２７は、当接面４１の裏側が図２，図３に示した凹部４３となる。
【００３０】
凸部２７は、角錐の頂角部を平坦面で切除して膨出先端とした形状（以下、「角錐台形状」と言う。）で形成できる。そして、この角錐台形状となった凸部２７の底面側は、凸部２７の外表面に沿って凹んだ凹部４３となる。つまり、凸部２７は、外表面と凹部４３の内表面との間の肉厚がほぼ均一に形成される。
【００３１】
凸部２７は、角錐台形状に形成されることにより、潰れる方向に変形した場合、隣接する凸部２７との干渉を低減できる。これにより、凸部２７は、それぞれが自由に変形でき、クッション性を良好にすることができる。また、後述するが、凸部２７は角錐台形状とされることで、凸部２７の先端に向けて互いが干渉しあうことなく凸部２７同士互いに接近できることになり、これにより本体部２５を湾曲変形させやすくする。なお、凸部２７は、角錐台形状に限定されず、例えば円錐台形状などであってもよい。
【００３２】
図５は図２に示したベルト用肩パッド１１のベルト取付時における要部拡大図である。
ベルト押さえ片２９は、本体部２５の少なくとも延在方向の両側に設けられる。本実施形態では、図２に示したように、本体部２５の延在方向の両側に２箇所、この２箇所の間に、さらに２箇所の合計４箇所に設けられている。ベルト押さえ片２９は、両側の側板部３３のそれぞれから基板部３１と平行に延出して延出先端同士が対向する。つまり、ベルト押さえ片２９は、１箇所に一対設けられる。図５に示すように、一対のベルト押さえ片２９は、基板部３１との間に肩ベルト１５を挿通する空間４５を形成する。なお、この空間４５は、後述の開口部により開放される。ベルト押さえ片２９は、延出先端を基板部３１から離間する方向に変形させることにより、延出先端同士の間隙４７を拡開して、この空間４５に肩ベルト１５を挿通可能にできる。
【００３３】
本実施形態において、ベルト押さえ片２９は、それぞれの両側の側板部３３から同じ長さで延出して間隙４７を有して対向する。なお、一対のベルト押さえ片２９の長さは、異なる長さであってもよい。例えば、ベルト押さえ片２９は、一方が側板部３３に近接して短尺となり、他方の延出先端がこの短尺のベルト押さえ片２９まで延びる長尺であってもよい。
【００３４】
また、ベルト押さえ片２９には、基板部３１と反対側の面に膨出するリブ４９が、ベルト押さえ片２９の延在方向に沿って形成されている。リブ４９は、側板部３３に達して形成されることが好ましい。
【００３５】
図６はベルトに取り付けられたベルト用肩パッド１１の長手方向に直交する方向の断面図である。
凸部２７の当接面４１には、凹部４３へ通じる貫通孔５１が形成されている。凸部２７は、当接面４１が作業服表面５３に当接する。従って、当接面４１は、貫通孔５１で作業服表面５３を開放する。これにより、基板部３１が平坦面である場合に比べ、蒸れを緩和することができる。また、貫通孔５１は、ベルト用肩パッド１１の使用時に、凹部４３に進入した雨水を、作業服表面側へ排出することもできる。
【００３６】
図７はベルトに取り付けられたベルト用肩パッド１１の長手方向に沿い基板部３１に垂直な方向の縦断面図である。
基板部３１は、ベルト押さえ片２９に対向する部分に、凸部２７の形成されていない開口部５５が設けられている。また、基板部３１は、長手方向の両端が平板部５７となる。この平板部５７には、肩ベルト１５が載置される。開口部５５は、それぞれの平板部５７と端部領域３９との間、それぞれの端部領域３９と中央領域３７との間の合計４箇所に設けられる。つまり、ベルト押さえ片２９の数と一致する。基板部３１は、この開口部５５を介してベルト押さえ片２９が下面側に表出する。
【００３７】
次に、上記した構成の作用を説明する。
本実施形態に係るベルト用肩パッド１１では、本体部２５、凸部２７、及びベルト押さえ片２９の全てが、可撓性素材により一体に成形できる。ベルト用肩パッド１１は、従来構造で設けられていた面ファスナーやフックボタンを取り付けたり、係止舌片や通孔を縫製したりする手間、すなわち製造工程が省ける。そのため、製造が容易となり、量産が可能となる。すなわち、単一素材での一体成形品であり、安価に生産できる。
【００３８】
基板部３１は、平面視におる面積の殆どが凸部２７の集合体となる。凸部２７は、肩３５と反対側の裏側が凹部４３となるので、薄肉に形成できる。よって、基板部３１は、凸部２７が中実である場合に比べ良好なクッション性を得ながら軽量とすることができる。
【００３９】
装着の際には、可撓性素材からなるベルト押さえ片２９を開くように変形させ、基板部３１に肩ベルト１５を配置するのみで、ベルト押さえ片２９が弾性復元力により元の形状に戻る。そのため、肩ベルト１５の取り付けたい個所に、その面から容易に取り付けることができる。従って、筒状のものに挿通したり、面ファスナーやフックボタンで取り付けたりする煩雑さが解消される。
【００４０】
ベルト用肩パッド１１は、肩ベルト１５と肩３５との間に、基板部３１が配置される。肩ベルト１５に沿う基板部３１は、ベルト幅の両側が、一対の側板部３３の間で保持される。基板部３１に載置された肩ベルト１５は、一対の側板部３３からそれぞれ延出して、肩ベルト１５を厚み方向で挟む複数対のベルト押さえ片２９により上面が押さえられて保持される。これにより、仮にベルト押さえ片２９が肩３５から浮上しても、ベルト用肩パッド１１は、ベルト押さえ片２９が肩ベルト１５に引っ掛かるので、肩ベルト１５と共に浮上して装着状態が維持される。
【００４１】
図８は図２に示したベルト用肩パッド１１の使用状態を表す側面図である。
使用時、ベルト用肩パッド１１は、肩ベルト１５からの反力が、基板部３１を介して肩３５へ加わる。基板部３１は、縦横に配列された複数の凸部２７の当接面４１で肩３５に当たる。それぞれの凸部２７は、上記のように、可撓性素材により薄肉で基板部３１と一体成形されるので空洞部分を備えた凸構造とされクッション性を有する。このため、肩ベルト１５からの反力による応力が集中する部分の凸部２７は、潰れる方向に変形する。凸部２７は、変形量が各所で様々に変化することにより、肩３５に加わる反力の集中を緩和することができる。また、可撓性素材からなる本体部２５は、全体が肩３５に沿って変形しやすい。特に各凸部２７が角錐台形状とされることで、隣り合う凸部２７同士での干渉が凸部２７先端に向けて起こらず、肩３５などの曲面に沿って本体部２５が変形しやすくなる。その結果、ベルト１５が直に肩に当たらず痛みをやわらげ、良好な装着性が得られるようになる。さらに、基板部３１は、角錐台形状に形成した複数の凸部２７で肩３５に当たるので、滑り止めともなる。
【００４２】
ベルト用肩パッド１１は、基板部３１が面で密着せず、角錐台形状に形成した多数の凸部２７によって肩３５に接触するので、膨出先端同士が離間し、良好な通気性を確保できる。つまり、縦横に溝を介して並んだ複数の突起が肩３５に当たることになる。これにより、良好な排水性、通気性も確保される。
【００４３】
そして、ベルト用肩パッド１１は、複数対のベルト押さえ片２９を、肩ベルト１５の延在方向に離間して配置するので、肩ベルト１５に設けられたバックル等の金具や他の部材に干渉せずに取り付けることができる。
【００４４】
また、ベルト用肩パッド１１では、ベルト押さえ片２９が、両側の側板部３３から同じ長さで延出し、間隙４７を有して分断される。従って、ベルト押さえ片２９は、基端が側板部３３に固定され、延出先端が自由端となった片持ち梁状となる。これにより、ベルト押さえ片２９は、延出先端が本体部２５から離反方向へ容易に変形可能となり、且つ弾性復元力による肩ベルト１５の押下が可能となる。その結果、ベルト押さえ片２９を開きやすくでき、肩ベルト１５の着脱がさらに容易となる。
【００４５】
また、ベルト用肩パッド１１では、ベルト押さえ片２９に、延在方向でリブ４９が形成されることにより、ベルト押さえ片２９の断面形状が増える。これにより、ベルト押さえ片２９は、延出先端を自由端とした場合の撓み荷重を大きくできる。また、形状復元性も良好にできる。その結果、リブ４９によりベルト押さえ片２９の剛性を高め、肩ベルト１５の保持性を高めることができる。
【００４６】
そして、ベルト用肩パッド１１では、凸部２７の当接面４１に貫通孔５１があることで、さらに通気性が高まり、蒸れなどを防ぐことができる。基板部３１は、凹部４３の底に穿設された貫通孔５１により、凹部４３に進入した水の良好な通水性が確保される。その結果、排水性をさらに高めることができる。
【００４７】
また、基板部３１は、凸部２７に貫通孔５１が形成されることで、剛性を弱めることができる。これにより、本体部２５は、より良好なクッション性が得られる。
【００４８】
さらに、ベルト用肩パッド１１では、基板部上に、側板部３３から延出したベルト押さえ片２９が、片持ち梁状となって配置される。ベルト押さえ片２９は、基板部３１と反対側の面が、上面となって外側に表出する。一方、ベルト押さえ片２９の基板部側の下面は、本来、基板部３１により隠れる。ベルト用肩パッド１１では、このベルト押さえ片２９に対向する基板部３１の部分に、ベルト押さえ片２９を表出させる開口部５５が形成される。これにより、本来隠れるベルト押さえ片２９の下面が、開口部５５を介して本体部２５の下面側に表出した状態となる。その結果、開口部５５への成形型の進入が可能となり、ベルト押さえ片２９の型成形による成形性を良好にできる。また、この開口部５５は、通気性や排水性の向上にも寄与する。
【００４９】
従って、本実施形態に係るベルト用肩パッド１１によれば、ベルト１５に対して簡単に着脱が行え、通気性が確保されて蒸れにくく、水も排出しやすくできる。
【００５０】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００５１】
例えば上記の実施形態では、ベルト用肩パッドがフルハーネス型安全帯に用いられる場合を例に説明したが、ベルト用肩パッドは、鞄のショルダーベルトに用いられてもよい。また、ベルト用肩パッドは、車用シートベルトに用いることもできる。これらの適用例の場合においても、ベルト用肩パッドは、上記同様の作用効果を奏す。
【符号の説明】
【００５２】
１１…ベルト用肩パッド
１５…ベルト（肩ベルト）
２５…本体部
２７…凸部
２９…ベルト押さえ片
３１…基板部
３３…側板部
３５…肩
４１…当接面
４３…凹部
４５…空間
４７…間隙
４９…リブ
５１…貫通孔
５５…開口部
【図１】
2019187502.tif 000003
【図２】
2019187502.tif 000004
【図３】
2019187502.tif 000005
【図４】
2019187502.tif 000006
【図５】
2019187502.tif 000007
【図６】
2019187502.tif 000008
【図７】
2019187502.tif 000009
【図８】
2019187502.tif 000010